(57)【要約】【課題】操作盤の押釦が手や傘等で強打されて破損することを軽減できると共に、健常者を含む利用者が容易に押釦を押すことができるエレベータの押釦保護装置の提供。【解決手段】エレベータのかご又は乗場に設けられ、フェースプレート２及び押釦１を有する操作盤１５と、この操作盤１５に取り付けられ、押釦１を保護する保護カバー８とを備えたエレベータの押釦保護装置において、保護カバー８は、押釦１のかなりの部分を覆い、押釦１の下部を開放させる傾斜状の切欠き部６を有するドーム型の形状を備えた。【選択図】図２
2011046466.tif 000002
【特許請求の範囲】
【請求項１】
エレベータのかご又は乗場に設けられ、フェースプレート及び押釦を有する操作盤と、この操作盤に取り付けられ、前記押釦を保護する保護カバーとを備えたエレベータの押釦保護装置において、
前記保護カバーは、前記押釦の相当部分を覆い、前記押釦の下部を開放させる傾斜状の切欠き部を有するドーム型の形状を備えたことを特徴とするエレベータの押釦保護装置。
【請求項２】
請求項１に記載のエレベータの押釦保護装置において、
前記操作盤は、前記フェースプレートに取り付けられ、前記フェースプレートを保護する保護板を備え、この保護板は前記押釦が挿入される貫通孔を有し、前記保護カバーを前記保護板に取り付けたことを特徴とするエレベータの押釦保護装置。
【請求項３】
請求項２に記載のエレベータの押釦保護装置において、
前記保護カバーは前記操作盤に固着させる固着片を備え、この固着片を介して前記保護カバーを前記保護板に取り付けたことを特徴とするエレベータの押釦保護装置。
【請求項４】
請求項３に記載のエレベータの押釦保護装置において、
前記保護板は前記固着片を取り付ける固着溝を有することを特徴とするエレベータの押釦保護装置。
【請求項５】
請求項２ないし４のいずれか１項に記載のエレベータの押釦保護装置において、
前記保護カバーは所定以上の衝撃で破壊する破壊誘導溝を有することを特徴とするエレベータの押釦保護装置。
【発明の詳細な説明】
【技術分野】
【０００１】
本発明は、エレベータのかご又は乗場に設けられた操作盤の押釦を保護する保護カバーを備えたエレベータの押釦保護装置に関する。
【背景技術】
【０００２】
一般的に、エレベータのかご又は乗場にはフェースプレート及び押釦を有する操作盤が設けられており、この操作盤の押釦を押すことによってかごを目的階へ到着させている。このように使用される操作盤の押釦は、従来より手や傘等で強打されて破損したり、あるいは脱落する等の悪戯が行われることがある。
【０００３】
そこで、操作盤の押釦が手や傘等で強打されることを防止するために、押釦を有する操作盤と、この操作盤を覆って装着され、底面に開口した操作孔を有する箱状の透明材料製蓋体、すなわち操作盤の押釦を保護する保護カバーとを備えたエレベータの操作盤装置を用いることが提案されている（例えば、特許文献１参照）。
【先行技術文献】
【特許文献】
【０００４】
【特許文献１】特開平５−１２４７８４号公報
【発明の概要】
【発明が解決しようとする課題】
【０００５】
しかし、特許文献１に開示された従来のエレベータの操作盤装置は、車椅子使用者用のエレベータの操作盤に用いられるものであり、この車椅子使用者用の操作盤の正面を上述の保護カバーで覆い、底面に開口した上述の操作孔から手又は指を保護カバー内に入れて操作盤の押釦を押すようにしているので、操作盤の高さよりも低い位置からは手又は指を操作孔から保護カバー内に入れて操作盤の押釦を押し易くなっているが、操作盤の高さよりも高い位置からは手又は指を操作孔から保護カバー内に入れて操作盤の押釦を押し難くなっている。これにより、操作盤が健常者に誤用されたり、あるいはいたずらに操作されないようにしている。
【０００６】
そのため、車椅子使用者用及び健常者用の操作盤を含むエレベータの操作盤の押釦が手や傘等で強打されることを防止するために前述した従来のエレベータの操作盤装置を用いた場合、利用者が健常者である場合には、腰や膝を折り曲げて姿勢を低くした状態で手又は指を保護カバー内に入れて操作盤の押釦を押さなければならず、該当する利用者に不快感を与えることが懸念されている。
【０００７】
本発明は、このような従来技術の実情からなされたもので、その目的は、操作盤の押釦が手や傘等で強打されて破損することを軽減できると共に、健常者を含む利用者が容易に押釦を押すことができるエレベータの押釦保護装置を提供することにある。
【課題を解決するための手段】
【０００８】
上記の目的を達成するために、本発明のエレベータの押釦保護装置は、エレベータのかご又は乗場に設けられ、フェースプレート及び押釦を有する操作盤と、この操作盤に取り付けられ、前記押釦を保護する保護カバーとを備えたエレベータの押釦保護装置において、前記保護カバーは、前記押釦の相当部分を覆い、前記押釦の下部を開放させる傾斜状の切欠き部を有するドーム型の形状を備えたことを特徴としている。
【０００９】
このように構成した本発明は、保護カバーが操作盤の押釦の相当部分を覆うことにより、操作盤の押釦が手や傘等で強打される等の悪戯が行われても保護カバーのドーム面に手や傘等が当接し、操作盤の押釦に直接当接し難くなっているので、操作盤の押釦が手や傘等で強打されて破損することを軽減することができる。また、保護カバーはドーム型の形状をしているので、保護カバーのドーム面が手や傘等で強打されてもその曲面により衝撃を受け流し、保護カバーが破損することを防止することができる。
【００１０】
さらに、保護カバーは押釦の下部を開放させる傾斜状の切欠き部を有しており、この傾斜状の切欠き部によって押釦の下部の正面部分が保護カバーで覆われていないので、押釦の下部の正面部分に手又は指を入れる十分な開放空間が生じている。そのため、操作盤の高さよりも高い位置からでも手又は指をこの開放空間から保護カバー内に入れて操作盤の押釦を押すことができる。これにより、保護カバーが取り付けられた操作盤の押釦を押すために腰や膝を折り曲げて姿勢を低くしなくても良いので、健常者を含む利用者が容易に押釦を押すことができる。
【００１１】
また、本発明に係るエレベータの押釦保護装置は、前記発明において、前記操作盤は、前記フェースプレートに取り付けられ、前記フェースプレートを保護する保護板を備え、この保護板は前記押釦が挿入される貫通孔を有し、前記保護カバーを前記保護板に取り付けたことを特徴としている。
【００１２】
このように構成した本発明は、保護板の貫通孔から操作盤の押釦が挿入した状態で保護板がフェースプレートに取り付けられており、操作盤の押釦の相当部分を覆うように保護カバーが保護板に取り付けられているので、操作盤の押釦が手や傘等で強打される等の悪戯が行われても、保護板によって手や傘等がフェースプレートに直接当接することを防止することができる。特に、保護カバーが手や傘等で強打されたときに保護カバーのドーム面がこの衝撃を受け流しても手や傘等が保護板に当接し、フェースプレートにそのまま当接しないので、フェースプレートが受ける衝撃を緩和することができる。
【００１３】
また、本発明に係るエレベータの押釦保護装置は、前記発明において、前記保護カバーは前記操作盤に固着させる固着片を備え、この固着片を介して前記保護カバーを前記保護板に取り付けたことを特徴としている。このように構成すると、保護板に保護カバーの固着片を固着させるだけで、簡単に取り付けることができる。
【００１４】
また、本発明に係るエレベータの押釦保護装置は、前記発明において、前記保護板は前記固着片を取り付ける固着溝を有することを特徴としている。このように構成すると、保護カバーの固着片を保護板の固着溝に取り付けることにより、保護カバーの固着片が保護板の面上から突出させないようにすることができる。
【００１５】
また、本発明に係るエレベータの押釦保護装置は、前記発明において、前記保護カバーは所定以上の衝撃で破壊する破壊誘導溝を有することを特徴としている。このように構成すると、保護カバーのドーム面が所定以上の強い衝撃を受けた場合に保護カバーが破壊誘導溝で破壊し、この破壊した保護カバーが衝撃を吸収するので、保護カバーが壊れるだけで済み、保護板やフェースプレートが破損することを防止できる。
【発明の効果】
【００１６】
本発明のエレベータの押釦保護装置は、エレベータのかご又は乗場に設けられ、フェースプレート及び押釦を有する操作盤と、この操作盤に取り付けられ、押釦を保護する保護カバーとを備えている。さらに、この保護カバーが、押釦の相当部分を覆い、押釦の下部を開放させる傾斜状の切欠き部を有するドーム型の形状を備えていることにより、操作盤の押釦が手や傘等で強打される悪戯がおこなわれても操作盤の押釦の相当部分を覆っている保護カバーで手や傘等が当接することを回避し易くなっている。そして、保護カバーに手や傘等が当接した際に保護カバーのドーム面がその曲面により衝撃を受け流すので、操作盤の押釦が手や傘等で強打されて破損することを軽減すると共に、保護カバーが容易に破損することを防止することができる。
【００１７】
また、保護カバーの傾斜状の切欠き部によって押釦の下部の正面部分が保護カバーで覆われていないので、押釦の下部の正面部分に手又は指を入れる十分な開放空間が生じている。そのため、操作盤の高さよりも高い位置からでも手又は指をこの開放空間から保護カバー内に入れて操作盤の押釦を押すことができる。これにより、保護カバーが取り付けられた操作盤の押釦を押すために腰や膝を折り曲げて姿勢を低くしなくても良いので、健常者を含む利用者が容易に押釦を押すことができる。このように本発明にあっては、エレベータの操作盤の押釦に保護カバーを取り付けても押釦の操作性を損なうことなく、操作盤の押釦が手や傘等で強打される等の悪戯から保護することができる。なお、本発明のエレベータの押釦保護装置は、車椅子使用者用のエレベータの操作盤にも用いることができ、汎用性が高い。
【図面の簡単な説明】
【００１８】
【図１】本発明に係るエレベータの押釦保護装置の一実施形態が備えられる操作盤である。
【図２】本発明に係るエレベータの押釦保護装置の一実施形態の構成を示す図である。
【図３】図２に示す保護カバーを拡大して示す図であり、（ａ）図は平面図、（ｂ）図は正面図、（ｃ）図は側面図である。
【図４】図２に示す保護板を拡大して示す図であり、（ａ）図は平面図、（ｂ）図は（ａ）図のＡ−Ａ線に沿う断面図である。
【図５】本実施形態の取付手順を説明する図である。
【図６】本実施形態に備えられる操作盤の使用方法を説明する図である。
【発明を実施するための形態】
【００１９】
以下、本発明に係るエレベータの押釦保護装置を実施するための形態を図に基づいて説明する。
【００２０】
本発明に係るエレベータの押釦保護装置の一実施形態は、例えば図１に示す健常者用の操作盤１５に備えられる。この操作盤１５は、図示しないかご又は乗場の壁に取り付けられ、中央に貫通孔を有するフェースプレート２と、かご又は乗場の壁の中に埋め込まれ、フェースプレート２の貫通孔から挿通された押釦１とを備えている。
【００２１】
図２に示すように操作盤１５は、フェースプレート２に取り付けられ、フェースプレート２を保護する保護板１２を備えている。そして、本実施形態は押釦１を保護する保護カバー８を備えており、押釦１を覆うように保護カバー８を保護板１２に取り付けている。なお、本実施形態では、保護板１２は例えば衝撃を吸収する弾性板が用いられている。
【００２２】
具体的には、図３に示すように保護カバー８は、押釦１のかなりの部分を覆い、押釦１の下部を開放させる傾斜状の切欠き部６を有するドーム型の形状を備えている。また、保護カバー８は操作盤１５に固着させる固着片３と、中央に所定以上の衝撃で破壊する破壊誘導溝４とを備えている。なお、固着片３の裏面には、図示しない粘着テープが設けられている。
【００２３】
一方、図４に示すように、保護板１２は、押釦１が挿入される貫通孔１０と、この貫通孔１０の周りに保護カバー８の固着片３を取り付ける固着溝９とを有し、この固着溝９は、固着片３が固着した際に固着溝９及び固着片３の表面が同一面となるように設定されている。なお、保護板１２の裏面には、固着片３の裏面と同様に図示しない粘着テープが設けられている。
【００２４】
そして、図５に示すように、保護板１２の貫通孔１０を押釦１に係合させて保護板１２の裏面をフェースプレート２に固着し、さらに保護カバー８の固着片３を保護板１２の固着溝９に係合させて固着片３の裏面を固着溝９に固着している。押釦１の操作に際しては、図６に示すように、本実施形態では、指５，５Ａを保護カバー８の切欠き部６から入れて押釦１を押すようになっている。
【００２５】
このように構成した本実施形態によれば、保護カバー８を操作盤１５の押釦１の正面に保護板１２を介して取り付けており、押釦１のかなりの部分が保護カバー８で覆われているので、押釦１が手や傘等で強打される等の悪戯が行われても保護カバー８のドーム面に手や傘等が当接し、操作盤１５の押釦１に直接当接し難くなっている。そのため、操作盤１５の押釦１が手や傘等で強打されて破損することを軽減することができる。また、保護カバー８はドーム型の形状をしており、ドーム面の中央が突出した曲面を形成しているので、保護カバー８のドーム面が手や傘等で強打されてもその曲面により衝撃を受け流し、保護カバー８が破損することを防止できる。
【００２６】
さらに、保護カバー８は操作盤１５の押釦１の下部を開放させる傾斜状の切欠き部６を有しており、この傾斜状の切欠き部６によって押釦１の下部の正面部分が保護カバー８で覆われていないので、図６に示すように押釦１の下部の正面部分に手又は指５，５Ａを入れる十分な開放空間が生じている。そのため、操作盤１５の高さよりも高い位置、すなわち健常者の高さからでも手又は指５，５Ａをこの開放空間から保護カバー８内に入れて押釦１を押すことができる。これにより、保護カバー８が取り付けられた操作盤１５の押釦１を押すために腰や膝を折り曲げて姿勢を低くしなくても良いので、健常者を含む利用者が容易に押釦１を押すことができる。
【００２７】
このように本実施形態は、操作盤１５の押釦１に保護カバー８を取り付けても押釦１の操作性を損なうことなく、操作盤１５の押釦１が手や傘等で強打される等の悪戯から保護することができ、高い利便性及び耐久性を確保することができる。
【００２８】
また、本実施形態は、操作盤１５がフェースプレート２を保護する保護板１２を備えており、保護板１２の貫通孔１０から操作盤１５の押釦１が挿入された状態で保護板１２がフェースプレート２の正面に取り付けられており、操作盤１５の押釦１のかなりの部分を覆うように保護カバー８が保護板１２に取り付けられているので、押釦１が手や傘等で強打される等の悪戯が行われた場合に、保護カバー８で押釦１を保護するだけでなく、保護板１２によって手や傘等がフェースプレート２に直接当接することを防止することができる。
【００２９】
ここで、保護カバー８が手や傘等で強打され、上述したように保護カバー８のドーム面でこの衝撃を受け流した際に、勢い余って手や傘等がフェースプレート２に向かう場合がある。この場合においても、保護板１２によって手や傘等がフェースプレート２に直接当接することを防止することができる。これにより、フェースプレート２が受ける衝撃を保護板１２で緩和することができ、押釦１だけでなくフェースプレート２が破損することを軽減することができる。なお、保護板１２は衝撃を緩和する弾性板で構成されているので、フェースプレート２の高い耐久性を確保することができる。
【００３０】
また、本実施形態は、保護カバー８が操作盤１５に固着させる固着片３を備えていることにより、この固着片３を保護板１２に固着させるだけで、簡単に保護カバー８を保護板１２に取り付けることができる。
【００３１】
また、本実施形態は、保護カバー８の固着片３を保護板１２から取り外し可能な部材である粘着テープで保護板１２に取り付けていることにより、保護カバー８を保護板１２から容易に取り外すことができる。また、保護板１２の裏面には、保護カバー８の固着片３と同様に粘着テープが設けられているので、フェースプレート２に加工を行うことなく、容易に保護板１２を取り付け、又は取り外すことができる。これにより、保護カバー８及び保護板１２の交換を容易に行うことができ、保護カバー８及び保護板１２のメンテナンス作業の能率を向上させることができる。
【００３２】
また、本実施形態は、保護板１２が保護カバー８の固着片３を取り付ける固着溝９を有し、この固着溝９に保護カバー８の固着片３を取り付けており、さらに固着溝９は、固着片３が固着した際に固着溝９及び固着片３の表面が同一面となるように設定されているので、保護カバー８の固着片３が保護板１２の面上から突出せず、意匠性を向上させることができる。また、保護カバー８の固着片３に利用者の手や指が引っ掛かって保護カバー８が保護板１２から外れることもないので、保護板１２に対する保護カバー８の安定した構造を実現することができる。
【００３３】
また、本実施形態は、保護カバー８が中央に所定以上の衝撃で破壊する破壊誘導溝４を有しているので、保護カバー８のドーム面が所定以上の強い衝撃を受けた場合に保護カバー８が破壊誘導溝４で破壊する。そのため、破壊した保護カバー８がこの衝撃を吸収するので、保護カバー８が壊れるだけで済み、保護板１２やフェースプレート２が破損することを防止できる。これにより、保護カバー８だけを交換すれば良いので、コストを抑えることができる。
【００３４】
なお、本実施形態では、保護カバー８の固着片３の裏面及び保護板１２の裏面に粘着テープを設けることによって、保護板１２をフェースプレート２に取り付け、さらに保護カバー８を保護板１２に取り付けた場合について説明したが、この場合に限らず保護カバー８の固着片３及び保護板１２を螺子等で取り付けても良い。
【００３５】
また、本実施形態は、図１に示すように健常者用の操作盤１５に備えた場合について説明したが、この場合に限らず車椅子使用者用のエレベータの操作盤にも備えることができ、汎用性が高い。
【符号の説明】
【００３６】
１  押釦
２  フェースプレート
３  固着片
４  破壊誘導溝
５，５Ａ  指
６  切欠き部
８  保護カバー
９  固着溝
１０  貫通孔
１２  保護板
１５  操作盤
【図１】
2011046466.tif 000003
【図２】
2011046466.tif 000004
【図３】
2011046466.tif 000005
【図４】
2011046466.tif 000006
【図５】
2011046466.tif 000007
【図６】
2011046466.tif 000008